(57)【要約】【課題】  種々のモードを設定するための設定画面における操作者が所望する領域の文字列を拡大表示する。【解決手段】  制御処理部１１の制御の下に、表示画面生成部１４は、操作者による操作を受け付けることが可能な表示デバイス１２における第１のエリアに表示されている設定画面中の操作者が所望する領域内の文字列を拡大して、第１のエリアに隣接した第２のエリアに表示する。したがって、表示デバイス１２に表示された「選択キー」や「モード設定キー」の機能内容を明確にすることができる。または、「選択キー」や「モード設定キー」上に表示されたキー名称が非常に読み易くなる。【選択図】図２
2005321590.tif 000002
【特許請求の範囲】
【請求項１】
表示領域を分割してなる複数の分割表示領域を有する表示手段と、
１つの分割表示領域には１つの画面を表示する一方、残りの分割表示領域には上記１つの分割表示領域に表示された画面における部分領域の拡大画像を表示するための画像データを生成する表示画面生成手段
を備えたことを特徴とする表示装置。
【請求項２】
請求項１に記載の表示装置において、
上記部分領域の拡大画像は、上記部分領域内における文字列のみの拡大画像である
ことを特徴とする表示装置。
【請求項３】
表示領域を有すると共に、画像データに基づいて画像を表示する表示手段と、
上記表示領域に表示する画面の画像データである画面データを生成する画面データ生成手段と、
上記画面データに基づく表示画面上の特定位置に関する操作者からの指示を受け付けると共に、上記指示に従って、上記表示画面上の特定位置を基準として拡大表示領域を設定する拡大表示領域設定手段と、
上記表示画面の画面データから上記拡大表示領域の画面データを読み出して拡大処理を施す画面データ拡大手段と、
上記表示手段の表示領域を複数の分割表示領域に分割すると共に、１つの分割表示領域には上記画面データに基づく画面を表示する一方、残りの分割表示領域には上記表示画面における上記拡大表示領域の拡大画像を表示するための画面データを再生成する画面データ再生成手段
を備えたことを特徴とする表示装置。
【請求項４】
請求項３に記載の表示装置において、
上記画面データ拡大手段は、上記拡大表示領域の画面データの中から文字列データを選択的に読み出して拡大処理を施すようになっている
ことを特徴とする表示装置。
【請求項５】
請求項３に記載の表示装置において、
上記拡大表示領域設定手段,画面データ拡大手段および画面データ再生成手段は、上記再生成された画面データに基づいて上記複数の分割表示領域に上記表示画面と上記拡大表示領域の拡大画像とを表示した後にも動作可能になっており、
上記拡大画像を、上記拡大表示領域とは異なる拡大表示領域の拡大画像に切り換え可能になっている
ことを特徴とする表示装置。
【請求項６】
請求項３に記載の表示装置において、
操作者からの指示を受け付けると共に、上記画面データ拡大手段による拡大処理時における拡大率を設定する拡大率設定手段を備えた
ことを特徴とする表示装置。
【請求項７】
請求項１乃至請求項６の何れか一つに記載の表示装置を搭載していることを特徴とする画像処理装置。
【請求項８】
表示領域を分割してなる複数の分割表示領域における１つの分割表示領域には１つの画面を表示する一方、残りの分割表示領域には上記１つの分割表示領域に表示された画面における部分領域の拡大画像を表示する
ことを特徴とする表示方法。
【請求項９】
請求項８に記載の表示方法において、
上記部分領域の拡大画像は、上記部分領域内における文字列のみの拡大画像である
ことを特徴とする表示方法。
【請求項１０】
コンピュータを、
表示領域を分割してなる複数の分割表示領域における１つの分割表示領域には１つの画面を表示する一方、残りの分割表示領域には上記１つの分割表示領域に表示された画面における部分領域の拡大画像を表示するための画像データを生成する表示画面生成手段
として機能させることを特徴とする表示プログラム。
【請求項１１】
請求項１０に記載の表示プログラムにおいて、
上記コンピュータを、さらに、
上記表示画面生成手段を、上記部分領域の拡大画像として、上記部分領域内における文字列のみの拡大画像を表示させるように機能させる
ことを特徴とする表示プログラム。
【請求項１２】
請求項１０あるいは請求項１１に記載の表示プログラムが記録されたことを特徴とするコンピュータ読出し可能なプログラム記録媒体。
【発明の詳細な説明】
【技術分野】
【０００１】
この発明は、一つの表示画面に複数の表示領域を設定できる表示装置、表示方法、表示プログラム、プログラム記録媒体、および、画像処理装置に関する。
【背景技術】
【０００２】
近年、画像形成,画像読取および画像送受信等を行う画像処理装置において、多機能化することによって、ジョブを実行する際に設定可能なジョブ処理条件が多数に亙るようになってきている。したがって、その多数の設定可能な条件を選択するために、操作パネルのタッチ画面に対してモード設定キーを多数配列表示する必要が生じてきている。その場合、このモード設定キーを表示するための配置スペースが限定される関係上、個々のモード設定キーに記載される文字が省略されたり、文字の大きさが小さくなったりする場合がある。前者の場合には、当然ながら各モード設定キーの機能が不明になる。また、後者の場合には、非常に読み難くなる。
【０００３】
従来、タッチパネルの画面に表示された画面を拡大表示するものとして、例えば、特開２００１‐１０９５５７号公報(特許文献１)のようなものがある。
【０００４】
この特許文献１においては、上記タッチパネルの画面上に表示されている所望の選択肢またはその近傍を指でタッチした場合に、そのタッチされた選択肢を含む近傍の選択肢の拡大表示を元の画面上に重畳表示する。そして、拡大表示された何れかの選択肢をポイント(タッチ)することによって、ポイントされた選択肢に対応する処理が行われ、拡大画面上の選択肢以外の部分をポイントすることによって、拡大前の大きさに戻すようになっている。こうして、隣接する選択肢を誤ってポイントすることなく正確且つ精度のよいタッチを可能にしている。
【０００５】
しかしながら、上記従来のタッチパネルにおいては、選択肢の拡大表示を元の画面上に重畳表示するようにしているため、選択肢の極近傍に倍率が異なる元の画像が表示されることになり、選択肢の文字が拡大されているにも拘わらず読み難いという問題がある。さらに、選択肢が拡大された分だけ元の画像が隠れてしまうため、選択肢の周囲に記載されている説明図を参照して選択肢をポイントする必要がある場合には、操作性が悪くなるという問題もある。
【特許文献１】特開２００１‐１０９５５７号公報
【発明の開示】
【発明が解決しようとする課題】
【０００６】
そこで、この発明の課題は、例えば、種々のモードを設定するための設定画面における操作者が所望する領域の文字列あるいは部分画面を拡大表示できる表示装置,表示方法,表示プログラムおよびプログラム記録媒体、並びに、上記表示装置を搭載した画像処理装置を提供することにある。
【課題を解決するための手段】
【０００７】
上記課題を解決するため、この発明の表示装置は、表示領域を分割してなる複数の分割表示領域を有する表示手段と、１つの分割表示領域には１つの画面を表示する一方、残りの分割表示領域には上記１つの分割表示領域に表示された画面における部分領域の拡大画像を表示するための画像データを生成する表示画面生成手段を備えたことを特徴としている。
【０００８】
上記構成によれば、１つの画面とその画面の部分領域の拡大画像とを同じ表示領域に同時に表示することができる。したがって、操作者が表示画面中に見え難い箇所があれば、その箇所を見え易い大きさに拡大表示して、表示内容を確認して理解することができる。
【０００９】
また、１実施例の表示装置では、上記部分領域の拡大画像は、上記部分領域内における文字列のみの拡大画像である。
【００１０】
この実施例によれば、１つの画面とその画面の部分領域の文字列のみの拡大画像とを、同じ表示領域に同時に表示することができる。したがって、操作者が表示画面中に見え難い文字列や表示が省略された文字列があれば、その文字列を見え易い大きさに拡大表示して、表示内容を確認して理解することができる。
【００１１】
例えば、上記拡大画像が選択キーを含む画像である場合には、選択キーに記載されている文字列のみが拡大表示されるため、選択キーの周囲の画像に邪魔されることなく選択キーの機能を理解することができる。
【００１２】
また、この発明の表示装置は、表示領域を有すると共に画像データに基づいて画像を表示する表示手段と、上記表示領域に表示する画面の画像データである画面データを生成する画面データ生成手段と、上記画面データに基づく表示画面上の特定位置に関する操作者からの指示を受け付けると共に、上記指示に従って上記表示画面上の特定位置を基準として拡大表示領域を設定する拡大表示領域設定手段と、上記表示画面の画面データから上記拡大表示領域の画面データを読み出して拡大処理を施す画面データ拡大手段と、上記表示手段の表示領域を複数の分割表示領域に分割すると共に、１つの分割表示領域には上記画像データに基づく画面を表示する一方、残りの分割表示領域には上記表示画面における上記拡大表示領域の拡大画像を表示するための画面データを再生成する画面データ再生成手段を備えたことを特徴としている。
【００１３】
上記構成によれば、表示領域に１つの画面が表示されている際に、その画面中に操作者が見え難い箇所がある場合には、操作者が上記表示画面上の上記難い箇所の位置を指示するだけの簡単な操作で、上記指示位置を基準とした拡大表示領域の拡大画像と上記表示画面とを、同じ表示領域に同時に表示できる。したがって、操作者が表示画面中に見え難い箇所があれば、その箇所を見え易い大きさに拡大表示して、表示内容を確認して理解することができる。
【００１４】
例えば、上記拡大画像が選択キーを含む画像である場合には、選択キーの周囲に表示された説明図等も拡大されるため、上記説明図を参照し、更に同時表示されている上記表示画面を参照することによって、操作性よく選択キーの操作を行うことができる。
【００１５】
また、１実施例の表示装置では、上記画面データ拡大手段は、上記拡大表示領域の画面データの中から文字列データを選択的に読み出して拡大処理を施すようになっている。
【００１６】
この実施例によれば、上記表示画面とその表示画面の拡大表示領域中の文字列のみの拡大画像とを、同じ表示領域に同時に表示することができる。したがって、上記表示画面中に見え難い文字列や表示が省略された文字列があれば、その文字列を見え易い大きさに拡大表示して、表示内容を確認して理解することができる。
【００１７】
例えば、上記拡大画像が選択キーを含む画像である場合には、選択キーに記載されている文字列のみが拡大表示されるため、選択キーの周囲の画像に邪魔されることなく選択キーの機能を理解することができる。
【００１８】
また、１実施例の表示装置では、上記拡大表示領域設定手段,画面データ拡大手段および画面データ再生成手段は、上記再生成された画面データに基づいて上記複数の分割表示領域に上記表示画面と上記拡大表示領域の拡大画像とを表示した後にも動作可能になっており、上記拡大画像を、上記拡大表示領域とは異なる拡大表示領域の拡大画像に切り換え可能になっている。
【００１９】
この実施例によれば、１つの表示画面と１つの拡大表示領域の拡大画像とを同じ表示領域に同時に表示した後に、当該表示画面中に他の見え難い箇所がある場合には、操作者が上記他の見え難い箇所の位置を指示すれば、異なる拡大表示領域の拡大画面と当該表示画面との同時表示に切り換えることができる。
【００２０】
また、１実施例の表示装置では、操作者からの指示を受け付けると共に、上記画面データ拡大手段による拡大処理時における拡大率を設定する拡大率設定手段を備えている。
【００２１】
この実施例によれば、上記表示画面上の見え難い箇所の画像を、操作者が所望する見易い大きさに拡大して表示することができる。
【００２２】
また、この発明の画像処理装置は、この発明の表示装置を搭載していることを特徴としている。
【００２３】
上記構成によれば、１つの画面とその画面の部分領域の拡大画像とを同じ表示領域に同時に表示することができる。したがって、操作者が、種々のモードを設定するための設定画面中に見え難い箇所があれば、その箇所を見え易い大きさに拡大表示して、設定内容を確認して設定キーを正しく選択することができ、操作性が向上する。
【００２４】
また、この発明の表示方法は、表示領域を分割してなる複数の分割表示領域における１つの分割表示領域には１つの画面を表示する一方、残りの分割表示領域には上記１つの分割表示領域に表示された画面における部分領域の拡大画像を表示することを特徴としている。
【００２５】
また、この発明の表示プログラムは、コンピュータを、表示領域を分割してなる複数の分割表示領域における１つの分割表示領域には１つの画面を表示する一方、残りの分割表示領域には上記１つの分割表示領域に表示された画面における部分領域の拡大画像を表示するための画像データを生成する表示画面生成手段として機能させることを特徴としている。
【００２６】
また、この発明のプログラム記録媒体は、この発明の表示プログラムが記録されたことを特徴としている。
【００２７】
上記各構成によれば、１つの画面とその画面の部分領域の拡大画像とを、同じ表示領域に同時に表示することができる。したがって、操作者が表示画面中に見え難い箇所があれば、その箇所を見え易い大きさに拡大表示して、表示内容を確認して理解することができる。
【発明の効果】
【００２８】
以上より明らかなように、この発明によれば、操作者が表示画面中に見え難い箇所があれば、その箇所の画面あるいは文字列を見え易い大きさに拡大表示して、表示内容を確認して理解することができる。したがって、操作者の利便性を向上させることができる。
【発明を実施するための最良の形態】
【００２９】
以下、この発明を図示の実施の形態により詳細に説明する。図１は、本実施の形態の表示装置が搭載された画像処理装置の概略構成を示す。この画像処理装置は、大きくは、原稿の画像を読み取って画像データを生成する読取部１と、この読取部１によって得られた画像データに基づいて用紙に印字を行う印字部２と、この印字部２に用紙を供給する給紙部３を備えている。また、詳述はしないが、通信ネットワークと接続する通信Ｉ/Ｆを備えている。
【００３０】
上記読取部１では、原稿を露光・スキャンしてＣＣＤセンサ(図示せず)等によって画像信号を得、さらに、二値化処理,画質補正,変倍,画像編集等の画像処理を行い、得られた画像データを画像記憶部(図示せず)に記憶する。印字部２は、上記画像記憶部からの画像データに基づいて、イエロー(Ｙ)用の感光体ドラム４の表面に静電潜像を形成し、その静電潜像上にイエローのトナーを付着させてイエローのトナー像を形成する。同様に、マゼンタ(Ｍ)用の感光体ドラム５の表面にマゼンタのトナー像を形成し、シアン(Ｃ)用の感光体ドラム６の表面にシアンのトナー像を形成し、ブラック(Ｋ)用の感光体ドラム７の表面にブラックのトナー像を形成する。
【００３１】
そして、夫々の感光体ドラム４〜７の表面のトナー像は、給紙部３から供給されて用紙搬送路８を搬送される用紙の表面に順次転写される。そして、画像が転写された用紙は、夫々の感光体ドラム４〜７の表面から分離され、転写後の各感光体ドラム４〜７の表面は、クリーニング装置(図示せず)によって清掃される。
【００３２】
ところで、上記構成を有する画像処理装置においては、操作者が入力を行うための操作パネル(特に図示はしないが、例えば、図１における画像処理装置の上部手前側に略水平に設置されている)が配置されている。そして、この操作パネルには、画像形成,画像読取および画像送受信に関するジョブ情報を表示するための液晶表示ディスプレイ等で構成される表示デバイスが設けられている。
【００３３】
図２は、本実施の形態の表示装置における機能的構成を示すブロック図である。本表示装置は、処理制御部１１,表示デバイス１２,座標データ取得部１３,表示画面生成部１４,グラフィックデータ格納部１５および文字列データ格納部１６で概略構成されている。ここで、表示デバイス１２は、操作者による操作を受け付けることが可能になっている。具体的には、表示デバイス１２は液晶タッチパネルを備えているものとする。尚、表示デバイス１２は、単純に情報表示のみを行うデバイスであっても差し支えない。
【００３４】
上記座標データ取得部１３は、表示デバイス１２からの信号を監視しており、表示デバイス１２からの信号に基づいて操作者による表示デバイス１２に対する操作(例えば、指によるタッチ等)を検知し、表示デバイス１２の上記表示エリア上における操作位置を表す座標を取得する。そして、この取得した座標を処理制御部１１に出力する。処理制御部１１は、座標データ取得部１３からの表示デバイス１２上の操作位置を表す座標データと自らが表示デバイス１２に出力した表示画面データとの比較結果から、表示デバイス１２に対する操作指示の内容を判断する。そして、判断結果に応じて、表示画面生成部１４に対して、表示する画面の内容を表す制御信号を出力したり、図２に示す表示装置以外の装置に対して、例えば原稿の読み込み動作等の処理の実行を促すイベントを生成して出力したりする。
【００３５】
上記表示画面生成部１４は、上記処理制御部１１からの上記制御信号に基づいて表示する画面の画像データを生成し、処理制御部１１に出力する。さらに、表示画面生成部１４は、表示文字および表示画面の拡大処理をも行うようになっている。その場合における拡大文字のサイズは、認識し易い文字サイズに固定してもよいが、文字サイズ変更手段を設けて必要に応じて文字サイズを変更可能にしても差し支えない。尚、本実施の形態においては、拡大文字のサイズは固定の文字サイズであるとする。
【００３６】
上記表示画面生成部１４によって生成される画像データは、グラフィックデータと文字列データとから構成される。尚、これらのグラフィックデータおよび文字列データは、表示画面生成部１４がアクセス可能なデータ構成で、上記グラフィックデータはグラフィックデータ格納部１５に格納される一方、文字列データは文字列データ格納部１６に格納されている。この場合、データの格納ファイル名、あるいはファイルの形式名、あるいはデータに属性情報を持たせること等によって、グラフィックデータか文字列データかの識別を可能にしている。さらに、上記文字列データのうち、表示デバイス１２上に設定されるメッセージエリアに表示される文字列データであるのか、各選択キーに表示される文字列データである等の、何れの表示形態を呈する文字列データであるのかの識別は、各文字列データに名称を付加したり文字列属性を持たせたりすることによって可能である。
【００３７】
ここで、上記機能的構成を有する表示装置の具体的ハードウェア構成は、後述する表示文字拡大処理および表示画面拡大処理を実行するプログラムを含む各種プログラムを記憶するプログラムメモリ、各種情報を記憶するデータメモリ、通信ネットワークと接続する通信Ｉ/Ｆ、入力装置、出力装置、表示デバイス１２、外部記録媒体がセットされてこの外部記録媒体をアクセスする外部補助記憶装置、上記プログラムメモリ,データメモリ,通信Ｉ/Ｆ,入力装置,出力装置,表示デバイス１２および外部補助記憶装置等を制御して、表示文字拡大処理及び表示画面拡大処理等を実行するＣＰＵ(中央演算処理装置)等で成る。
【００３８】
すなわち、上記処理制御部１１,座標データ取得部１３および表示画面生成部１４は上記ＣＰＵで構成されるのである。また、上記ＣＰＵは、上述した各部１１,１３,１４による本実施の形態に係る処理動作の他に、演算・判断処理,計時処理および入出力処理等の各種の処理動作をも行うようになっている。尚、上記表示文字拡大処理プログラムおよび表示画面拡大処理プログラムは、上記外部記録媒体や通信ネットワークから上記プログラムメモリにインストールしても差し支えない。
【００３９】
図３は、上記処理制御部１１による制御の下に主として表示画面生成部１４によって実行される表示文字拡大処理動作のフローチャートである。以下、図３に従って、表示文字拡大処理動作について説明する。
【００４０】
ステップＳ1で、上記処理制御部１１からの上記制御信号に基づいて、グラフィックデータ格納部１５からのグラフィックデータおよび文字列データ格納部１６からの文字列データに従って、種々のモードを設定するための設定画面の画像データ(以下、画面データと言う)が生成される。ステップＳ2で、例えば、表示デバイス１２上に設定された操作キー(図示せず)あるいは上記操作パネル上の表示デバイス１２外に設けられた押下スイッチ(図示せず)の操作結果に基づいて、文字拡大モードであるか否かが判別される。ここで、上記文字拡大モードとは、表示デバイス１２上に設定された設定画面表示エリアＢと上記設定画面内の一部の文字列のみを拡大表示する拡大表示エリアＡとから構成される画面を表示するモードである。その結果、文字拡大モードである場合にはステップＳ3に進み、そうでなければステップＳ6に進む。
【００４１】
ステップＳ3で、上記表示デバイス１２上に表示されている設定画面における上記操作キー以外の位置に対して指で触れることによって、上記設定画面上の座標が指示されたか否かが判別される。その結果、上記座標が指示されている場合はステップＳ4に進む。ステップＳ4で、上記設定画面上に、上記指示された座標を基準として文字拡大を行う文字拡大領域が設定され、文字拡大領域内の文字列データが読み出される。尚、読み出される文字列データは、上記文字拡大領域における画面データの画面番号が付加された文字列データが読み出されて、上記所定の文字サイズになるように拡大処理が施される。ステップＳ5で、表示デバイス１２上に互いに隣接する拡大表示エリアＡおよび設定画面表示エリアＢを設定し、上記設定画面を設定画面表示エリアＢに表示する一方、上記拡大処理が施された文字列データを拡大表示エリアＡに表示するために、画面データが再構築(再生成)される。そして、この再生成された画面データに基づいて、設定画面表示エリアＢには上記設定画面が表示され、拡大表示エリアＡには拡大文字列が表示される。尚、上記文字拡大モードでない場合には、後に詳述する画面切換選択画面によって選択された画面が表示される。
【００４２】
ステップＳ6で、上記設定画面表示エリアＢ上の選択キーに対して押下(画面押下)が行われたか否かが判別される。その結果、上記画面押下があればステップＳ7に進む。ステップＳ7で、押下された設定画面表示エリアＢ上の座標が取得される。ステップＳ8で、上記押下された座標に対応付けられている処理プログラムが取得される。ステップＳ9で、上記取得された処理プログラムを実行する際に画面遷移が必要か否かが判別される。その結果、画面遷移が必要である場合にはステップＳ10に進む。一方、そうでなければステップＳ12に進む。
【００４３】
ステップＳ10で、上記取得された処理プログラムが実行される。ステップＳ11で、上記ステップＳ10での処理実行に伴う遷移画面の表示処理が行われる。この場合、上記遷移画面は、表示デバイス１２の全体に上記設定画面として表示される。そうした後、上記ステップＳ4に戻り、遷移画面に対する文字拡大領域内の文字列読み出しと拡大表示とに移行する。ステップＳ12で、上記取得された処理プログラムがを実行される。そうした後、表示文字拡大処理動作を終了する。
【００４４】
尚、図３に示す表示文字拡大処理動作のフローチャートでは、上記ステップＳ11において遷移画面の表示処理が行われた後、上記ステップＳ4にリターンするようにしている。しかしながら、上記ステップＳ2にリターンして、再度文字拡大モードか否かの確認を行うようにしても差し支えない。
【００４５】
図４は、上記処理制御部１１による制御の下に主として表示画面生成部１４によって実行される表示画面拡大処理動作のフローチャートである。尚、この表示画面拡大処理動作は、図３に示す表示文字拡大処理動作と基本的には同じである。以下、図４に従って、表示画面拡大処理動作について簡単に説明する。
【００４６】
ステップＳ21およびステップＳ22で、上記処理制御部１１からの上記制御信号に基づいて上記設定画面の画像データ(画面データ)が生成され、画面拡大モードである場合にはステップＳ23に進む。
【００４７】
ステップＳ23〜ステップＳ25で、上記設定画面上の座標が指示されている場合は、上記設定画面上に画面拡大領域が設定され、この画面拡大領域内の部分画面データが読み出されて所定のサイズになるように拡大処理が施され、画面データが再構築(再生成)される。そして、設定画面表示エリアＢには設定画面が表示される一方、拡大表示エリアＡには拡大画面が表示される。尚、上記画面拡大モードではない場合には、後に詳述する画面切換選択画面によって選択された画面が表示される。
【００４８】
ステップＳ26〜ステップＳ31で、上記画面押下がある場合には押下された設定画面表示エリアＢ上の座標およびこの座標に対応付けられている処理プログラムが取得され、上記処理プログラムを実行する際に画面遷移が必要か否かが判別される。そして、画面遷移が必要である場合には、上記取得された処理プログラムが実行され、それに伴う遷移画面の表示処理が行われた後、上記ステップＳ24に戻り、遷移画面に対する画面拡大領域内の画面データ読み出しと拡大表示とに移行する。
【００４９】
ステップＳ32で、上記取得された処理プログラムが実行される。そうした後、表示画面拡大処理動作を終了する。
【００５０】
尚、図４に示す表示画面拡大処理動作の場合にも上記ステップＳ31において遷移画面の表示処理が行われた後、上記ステップＳ22にリターンようにしても差し支えない。
【００５１】
図５は、図３に示す表示文字拡大処理動作の上記ステップＳ5において表示デバイス１２に表示される表示文字拡大処理後の表示画面の一例を示す。尚、本例では、エリアＡとエリアＢとの２つのエリアで構成された画面で説明をするが、さらに多くのエリアから構成される画面であっても差し支えない。
【００５２】
上記表示デバイス１２上に、例えばコピーやファックス等の動作設定を行うための設定画面が表示されている場合に、表示されている設定画面における有効キー以外の位置に触れることで座標が指示され、その座標(図５における▲マークで示す位置２１の座標)を基準にして所定の領域(図５の場合には▲の位置２１を中心とした破線で示す矩形領域２２)が上記文字拡大領域として設定される。尚、図５では、エリアＡとエリアＢとが設定されており、エリアＢに設定画面が表示されているが、実際にはエリアＢに表示されている設定画面のみが表示デバイス１２の全体に表示されている。但し、設定画面の表示内容は図５におけるエリアＢの表示内容と全く同じであるから、上記座標の位置２１や文字拡大領域２２の説明を、図５を用いて行っている。
【００５３】
そして、上記文字拡大領域２２内の文字列データのみが読み出されて上記所定の文字サイズに拡大処理が行われる。そうした後に、表示デバイス１２の表示画面がエリアＡとエリアＢとに分割され、拡大された文字列がエリアＡ(上述した拡大表示エリアＡに相当)に表示される一方、上記設定画面がエリアＢ(上述した設定画面表示エリアＢに相当)に表示される。こうして、上記設定画面に含まれる文字列のみを、ユーザーが見易いように文字サイズを拡大してエリアＡに表示するのである。
【００５４】
このように、上記エリアＢに表示されている設定画面における操作者が所望する領域内の文字列を拡大して、エリアＢに隣接したエリアＡに表示するようにしている。したがって、操作者による操作を受け付けることが可能な表示デバイス１２に表示された「選択キー」や「モード設定キー」の機能内容を明確にすることができる。または、「選択キー」や「モード設定キー」上に表示されたキー名称が非常に読み易くなる。
【００５５】
尚、上記説明においては、上記文字拡大領域２２を設定するための上記座標の指示方法として、表示デバイス１２に表示されている設定画面における有効キー以外の位置に触れる方法について説明したが、この発明はこれに限定されるものではない。例えば、座標入力モードを別途設定して、この座標入力モードにおいて上記文字拡大領域を指定するための上記座標を入力するようにしてもよい。あるいは、予め複数設定された特定位置の座標を、上記操作パネル上の表示デバイス１２外に設けられた押下スイッチ等によって選択するようにしてもよい。
【００５６】
また、上記文字拡大領域２２内における文字列の検索は、例えば、上記設定画面を構成している画面データに付加されているグラフィックデータであるか文字列データであるかやメッセージ文字列であるかキー名称文字列であるか等を表す属性情報を検索し、その検索された属性情報とその属性情報に関する座標データとを用いて行う。こうすることによって、上記設定画面に多数のモード設定キーを表示する必要がある場合に、各モード設定キーのキー名称の表示を省略することも可能になる。また、本実施の形態においては、指示された座標を中心に所定の矩形領域２２内に含まれる文字列を表示することを示しているが、予め上記設定画面のエリアを複数の領域に分割し、指示された座標２１が含まれる領域内の文字列を取得するようにすることも可能である。
【００５７】
また、上記エリアＡに、上記エリアＢに表示されている上記設定画面中の選択キー２３,２４のキー名称の文字列「本のページ順」および「左右を両面」を拡大表示する。そして、エリアＡに拡大表示されたキー名称の文字列部分を操作することによって、エリアＢに表示されている選択キー２３,２４を操作したのと同一の処理が実行できるように、エリアＡの情報とエリアＢの情報とに関連性を持たせることもできる。さらに、エリアＡへの表示方法として、本実施の形態においては、固定の文字サイズでの表示方法、エリアＢでの表示方法(例えば、文字列「ページ揃えの設定ができます」の反転表示等)を継承する表示方法を採用しているが、操作者が任意に設定・変更することを許可するようにしても一向に構わない。また、本実施の形態においては、エリアＡに拡大文字列を表示し、エリアＢに上記設定画面を表示するようにしているが、各エリアの位置関係やサイズを任意に設定できるようにしてもよい。
【００５８】
また、上述のようにして、エリアＡに拡大文字列が表示される一方、エリアＢに上記設定画面が表示されている際に、エリアＢに表示されている上記設定画面上の指示座標２１とは異なる座標を指示することによって、新たな指示座標を基準とした次の文字拡大領域内の文字列をエリアＡに拡大表示するようにすることもできる。その場合には、図３に示す表示文字拡大処理動作のフローチャートの上記ステップＳ5が終了した後に、次の座標が指示されたか否かを判別し、次の座標が指示された場合には上記ステップＳ4にリターンするようにすればよい。
【００５９】
図６は、図４に示す表示画面拡大処理動作の上記ステップＳ25において表示デバイス１２に表示される表示画面拡大処理後の表示画面の一例を示す。尚、本例の場合にも、さらに多くのエリアから構成される画面であっても差し支えない。
【００６０】
表示デバイス１２上に表示されている設定画面における有効キー以外の位置に触れることで座標が指示され、その座標(図６における▲マークで示す位置２５の座標)を基準にして所定の領域(図６の場合には▲の位置２５を中心とした破線で示す矩形領域２６)が上記画面拡大領域として設定される。
【００６１】
そして、上記画面拡大領域２６内の部分画面データが読み出されて上記所定のサイズに拡大処理が行われる。そうした後、表示デバイス１２の表示画面がエリアＡとエリアＢとに分割され、拡大画面がエリアＡ(上述した拡大表示エリアＡに相当)に表示される一方、設定画面がエリアＢ(上述した設定画面表示エリアＢに相当)に表示される。こうして、上記設定画面の一部を、ユーザーが見易いサイズに拡大してエリアＡに表示するのである。
【００６２】
このように、上記エリアＢに表示されている設定画面における操作者が所望する領域の画面を拡大して、エリアＢに隣接したエリアＡに表示するようにしている。したがって、上記設定画面における細かい表現が非常に見易くなる。
【００６３】
尚、上記説明においては、上記画面拡大領域２６を設定するための上記座標２５の指示方法として、表示文字拡大処理の場合と同様に、座標入力モードを別途設定して、この座標入力モードにおいて上記画面拡大領域２６を指定するための上記座標を入力するようにしてもよい。あるいは、予め複数設定された特定位置の座標を、上記操作パネルに設けられた押下スイッチ等によって選択するようにしてもよい。
【００６４】
また、上記拡大画面の拡大率は、固定値としてもよいし、操作者が任意に設定できる設定値としてもよいし、画面拡大領域２６の大きさとエリアＡの大きさとから自動的に拡大率を決めるようにしてもよい。さらに、指示座標２５を基準とした画面拡大領域２６の設定を、画面の拡大率を固定とした場合、エリアＡの大きさと上記拡大率とから自動的に設定するようにすることも可能である。勿論、画面拡大領域２６を任意に設定できるようにしても差し支えない。
【００６５】
また、上述した表示文字拡大処理の場合と同様に、エリアＡに拡大表示された選択キー２８を操作することによって、エリアＢに表示されている同じキー名称の選択キー２７を操作したのと同一の処理が実行できるように、エリアＡの情報とエリアＢの情報とに関連性を持たせることが可能である。さらに、エリアＢに表示されている上記設定画面上の指示座標２５とは異なる座標を指示することによって、新たな指示座標を基準とした次の画面拡大領域の画面をエリアＢに拡大表示するようにすることもできる。その場合には、図４に示す表示画面拡大処理動作のフローチャートにおいて上記ステップＳ25が終了した後に、次の座標が指示されたか否かを判別し、次の座標がが指示された場合には上記ステップＳ24にリターンすればよい。
【００６６】
ところで、操作者によっては、操作する画面は必ずしも１つの画面で満足されるものではない。そのために、複数のエリアに分割された画面の状態において、本実施の形態のように上記設定画面内で操作者が認識したい文字列を上記設定画面とは別のエリアに拡大表示した状態と、上記複数のエリアのうちの特定の１エリアのみを広く表示した状態とを、切り換えることが可能にする必要もある。
【００６７】
図７は、その場合、切り換え表示される画面を対話的に選択するために表示デバイス１２に表示されるの画面切換選択画面の一例を示す。ここで、上記「対話的に」とは、「操作者によって入力される指示を受けて画面を選択する」ことを意味する。操作者は、選択キー３１を操作することによって、２つの異なるエリアに互いに異なる画面Ａと画面Ｂとを独立して表示する表示方法(例えば、画面Ａとして登録/実施したジョブの一覧表を表示し、画面Ｂとして特定のアプリケーションプログラムの設定画面を表示する)が選択される。また、選択キー３２を操作することによって、２つの異なるエリアの一方には特定のアプリケーションプログラムの設定画面Ｂを表示し、他方には上記設定画面Ｂの一部を拡大した画面Ｂを表示する表示方法が選択される。また、選択キー３３を操作することによって、２つの異なる画面Ａと画面Ｂとのうち、画面Ａのみを表示デバイス１２の表示画面の全体に表示する表示方法が選択される。また、選択キー３４を操作することによって、２つの異なる画面Ａと画面Ｂとのうち、画面Ｂのみを表示デバイス１２の表示画面の全体に表示する表示方法が選択される。
【００６８】
この場合、図４に示す上記表示画面拡大処理動作における上記ステップＳ22において、表示デバイス１２上に設定された「操作キー」の操作結果に基づいて、画面拡大モードであるか否かを判別する場合の上記「操作キー」として、図７に示す画面切換選択画面における「選択キー３２」を割り当てることができる。
【００６９】
本実施の形態においては、上述したように、画面切換選択画面上の選択キー３１〜３４の操作によって表示画面の切り換えを行うようにしているが、特定の操作や、ユーザー認識によって表示画面を切り換えるようにしてもよい。また、本実施の形態においては、互いに異なる画面Ａと画面Ｂとの２つの画面の場合を例に、画面切換選択画面の説明を行ったが、異なる画面が３以上の画面がある場合や、異なる画面が２つであったとしても、異なる画面選択肢を限定し、その中から選択するようにしても良い。
【００７０】
また、本実施の形態においては、上記設定画面上における部分領域を拡大表示する例を上げて説明したが、必ずしも上記設定画面に限定されるものではない。
【図面の簡単な説明】
【００７１】
【図１】この発明の表示装置が搭載された画像処理装置の概略構成を示す図である。
【図２】この発明の表示装置におけるブロック図である。
【図３】表示文字拡大処理動作のフローチャートである。
【図４】表示画面拡大処理動作のフローチャートである。
【図５】表示文字拡大処理後の表示画面の一例を示す図である。
【図６】表示画面拡大処理後の表示画面の一例を示す図である。
【図７】画面切換選択画面の一例を示す図である。
【符号の説明】
【００７２】
１…読取部、
２…印字部、
３…給紙部、
４,５,６,７…感光体ドラム、
８…用紙搬送路、
１１…処理制御部、
１２…表示デバイス、
１３…座標データ取得部、
１４…表示画面生成部、
１５…グラフィックデータ格納部、
１６…文字列データ格納部、
２１,２５…指示座標位置、
２２…文字拡大領域、
２３,２４,２７,２８,３１〜３４…選択キー、
２６…画面拡大領域。
【図１】
2005321590.tif 000003
【図２】
2005321590.tif 000004
【図３】
2005321590.tif 000005
【図４】
2005321590.tif 000006
【図５】
2005321590.tif 000007
【図６】
2005321590.tif 000008
【図７】
2005321590.tif 000009